【手続補正書】
【提出日】平成18年12月20日(2006.12.20)
【手続補正１】
【補正対象書類名】明細書
【補正対象項目名】発明の名称
【補正方法】変更
【補正の内容】
【発明の名称】ソースフォロワ回路、ボルテージフォロワ回路、表示装置及び電子機器
【手続補正２】
【補正対象書類名】特許請求の範囲
【補正対象項目名】全文
【補正方法】変更
【補正の内容】
【特許請求の範囲】
【請求項１】
トランジスタと、
プリチャージ電源と、
前記トランジスタのゲート電極に一端が接続された容量素子と、
前記トランジスタのゲート電極と前記プリチャージ電源の間に設けられた第１のスイッチ素子と、
前記容量素子の他端と前記トランジスタのソース電極又はドレイン電極の一方の間に設けられ、前記第１のスイッチ素子の開閉動作に連動する第２のスイッチ素子と、
前記容量素子の他端と信号源の間に設けられ、前記第１のスイッチ素子及び前記第２のスイッチ素子の開閉動作に対して反転動作を行う第３のスイッチ素子とを有し、
前記プリチャージ電源は可変電源であることを特徴とするソースフォロワ回路。
【請求項２】
トランジスタと、プリチャージ電源と、容量素子と、第１のスイッチ素子と、第２のスイッチ素子と、第３のスイッチ素子とを有し、
前記トランジスタのゲート電極は、前記第１のスイッチ素子の一方の端子と、前記容量素子の一端に接続され、
前記トランジスタのソース電極又はドレイン電極の一方は、前記第２のスイッチ素子の一方の端子に接続され、
前記容量素子の他端は、前記第２のスイッチ素子の他方の端子と前記第３のスイッチ素子の一方の端子に接続され、
前記第１のスイッチ素子の他方の端子は、前記プリチャージ電源に接続され、
前記第３のスイッチ素子の他方の端子は、信号源に接続され、
前記プリチャージ電源は可変電源であることを特徴とするソースフォロワ回路。
【請求項３】
トランジスタと、
プリチャージ電源と、
オフセット電源と、
容量素子と、
前記トランジスタのゲート電極と前記プリチャージ電源の間に設けられた第１のスイッチ素子と、
前記容量素子の他端と前記トランジスタのソース電極又はドレイン電極の一方の間に設けられ、前記第１のスイッチ素子の開閉動作に連動する第２のスイッチ素子と、
前記トランジスタのゲート電極と前記容量素子の一端の間に設けられ、前記第１のスイッチ素子及び前記第２のスイッチ素子の開閉動作に対して反転動作を行う第３のスイッチ素子と、
前記容量素子の一端と信号源の間に設けられた第４のスイッチ素子と、
前記容量素子の他端と前記オフセット電源との間に設けられ、前記第４のスイッチ素子の開閉動作に対して反転動作を行う第５のスイッチ素子とを有し、
前記プリチャージ電源は可変電源であることを特徴とするソースフォロワ回路。
【請求項４】
トランジスタと、プリチャージ電源と、容量素子と、第１のスイッチ素子と、第２のスイッチ素子と、第３のスイッチ素子と、第４のスイッチ素子と、第５のスイッチ素子とを有し、
前記トランジスタのゲート電極は、前記第１のスイッチ素子の一方の端子と、前記第３のスイッチ素子の一方の端子に接続され、
前記トランジスタのソース電極又はドレイン電極の一方は、前記第２のスイッチ素子の一方の端子に接続され、
前記容量素子の一端は、前記第３のスイッチ素子の他方の端子と前記第４のスイッチ素子の一方の端子に接続され、
前記容量素子の他端は、前記第２のスイッチ素子の他方の端子と前記第５のスイッチ素子の一方の端子に接続され、
前記第１のスイッチ素子の他方の端子は、前記プリチャージ電源に接続され、
前記第４のスイッチ素子の他方の端子は、信号源に接続され、
前記第５のスイッチ素子の他方の端子は、前記オフセット電源に接続され、
前記プリチャージ電源は可変電源であることを特徴とするソースフォロワ回路。
【請求項５】
オペアンプと、
プリチャージ電源と、
前記オペアンプの非反転入力端子に一端が接続された容量素子と、
前記オペアンプの非反転入力端子及び前記容量素子の一端と前記プリチャージ電源の間に設けられた第１のスイッチ素子と、
前記容量素子の他端と前記オペアンプの反転入力端子の間に設けられ、前記第１のスイッチ素子の開閉動作に連動する第２のスイッチ素子と、
前記容量素子の他端と信号源の間に設けられ、前記第１のスイッチ素子及び前記第２のスイッチ素子の開閉動作に対して反転動作を行う第３のスイッチ素子とを有し、
前記プリチャージ電源は可変電源であることを特徴とするボルテージフォロワ回路。
【請求項６】
オペアンプと、プリチャージ電源と、容量素子と、第１のスイッチ素子と、第２のスイッチ素子と、第３のスイッチ素子とを有し、
前記オペアンプの非反転入力端子は、前記第１のスイッチ素子の一方の端子と、前記容量素子の一端に接続され、
前記オペアンプの反転入力端子は、前記第２のスイッチ素子の一方の端子に接続され、
前記第２のスイッチ素子の他方の端子は、前記容量素子の他端と前記第３のスイッチ素子の一方の端子に接続され、
前記第３のスイッチ素子の他方の端子は、信号源に接続され、
前記第１のスイッチ素子の他方の端子は、前記プリチャージ電源に接続され、
前記プリチャージ電源は可変電源であることを特徴とするボルテージフォロワ回路。
【請求項７】
オペアンプと、
プリチャージ電源と、
オフセット電源と、
容量素子と、
前記オペアンプの非反転入力端子と前記プリチャージ電源の間に設けられた第１のスイッチ素子と、
前記容量素子の他端と前記オペアンプの反転入力端子の間に設けられ、前記第１のスイッチ素子の開閉動作に連動する第２のスイッチ素子と、
前記オペアンプの非反転入力端子と前記容量素子の一端の間に設けられ、前記第１のスイッチ素子及び前記第２のスイッチ素子の開閉動作に対して反転動作を行う第３のスイッチ素子と、
前記容量素子の一端と信号源の間に設けられた第４のスイッチ素子と、
前記容量素子の他端と前記オフセット電源との間に設けられ、前記第４のスイッチ素子の開閉動作に対して反転動作を行う第５のスイッチ素子とを有し、
前記プリチャージ電源は可変電源であることを特徴とするボルテージフォロワ回路。
【請求項８】
オペアンプと、プリチャージ電源と、オフセット電源と、容量素子と、第１のスイッチ素子と、第２のスイッチ素子と、第３のスイッチ素子と、第４のスイッチ素子と、第５のスイッチ素子とを有し、
前記オペアンプの非反転入力端子は、前記第１のスイッチ素子の一方の端子と、前記第３のスイッチ素子の一方の端子に接続され、
前記オペアンプの反転入力端子は、前記第２のスイッチ素子の一方の端子に接続され、
前記第２のスイッチ素子の他方の端子は、前記容量素子の他端と前記第５のスイッチ素子の一方の端子に接続され、
前記容量素子の一端は、前記第３のスイッチ素子の他方の端子と前記第４のスイッチ素子の一方の端子に接続され、
前記第１のスイッチ素子の他方の端子は、前記プリチャージ電源に接続され、
前記第４のスイッチ素子の他方の端子は、信号源に接続され、
前記第５のスイッチ素子の他方の端子は、前記オフセット電源に接続され、
前記プリチャージ電源は可変電源であることを特徴とするボルテージフォロワ回路。
【請求項９】
請求項１又は請求項２において、
前記第１のスイッチ素子、前記第２のスイッチ素子及び前記第３のスイッチ素子は、それぞれ、トランジスタであることを特徴とするソースフォロワ回路。
【請求項１０】
請求項３又は請求項４において、
前記第１のスイッチ素子、前記第２のスイッチ素子、前記第３のスイッチ素子、前記第４のスイッチ素子及び前記第５のスイッチ素子は、それぞれ、トランジスタであることを特徴とするソースフォロワ回路。
【請求項１１】
請求項５又は請求項６において、
前記第１のスイッチ素子、前記第２のスイッチ素子及び前記第３のスイッチ素子は、それぞれ、トランジスタであることを特徴とするボルテージフォロワ回路。
【請求項１２】
請求項７又は請求項８において、
前記第１のスイッチ素子、前記第２のスイッチ素子、前記第３のスイッチ素子、前記第４のスイッチ素子及び前記第５のスイッチ素子は、それぞれ、トランジスタであることを特徴とするボルテージフォロワ回路。
【請求項１３】
請求項１乃至請求項４、請求項９及び請求項１０のいずれか一項に記載のソースフォロワ回路を含むことを特徴とする表示装置。
【請求項１４】
請求項５乃至請求項８、請求項１１及び請求項１２のいずれか一項に記載のボルテージフォロワ回路を含むことを特徴とする表示装置。
【請求項１５】
請求項１乃至請求項４、請求項９及び請求項１０のいずれか一項に記載のソースフォロワ回路を含む表示装置を用いた電子機器。
【請求項１６】
請求項５乃至請求項８、請求項１１及び請求項１２のいずれか一項に記載のボルテージフォロワ回路を含む表示装置を用いた電子機器。